(57)【要約】      （修正有）【課題】キックスケーター、スネークボード、スケートボードの機能を併せ持ち、年齢や技量の差を超えて多くの人が楽しむことのできるスケーターを提供する。【解決手段】剛性を有する板材から成るデッキボード１０と、前記デッキボードの前端近くに設けた折畳み機構を介してデッキボード側へ折り畳み可能に、且つ、軸中心に回動可能なように設けられたハンドルシャフト２０と、前記ハンドルシャフトの下端に回転自在に取り付けられた前輪３０と、前記ハンドルシャフトの上端に取り付けられた握り柄４０と、前記デッキボード１０の後端近くの下面に、その首振り軸がデッキボードの下面に対して直角な線から後方へ向けて傾斜するよう取り付けられたキャスター付き後輪と、を備て、スケーターを構成する。【選択図】図４
0003162332.tif 000002
【実用新案登録請求の範囲】
【請求項１】
剛性を有する板材から成るデッキボードと、
前記デッキボードの前端近くに設けた折畳み機構を介してデッキボード側へ折り畳み可能に、且つ、軸中心に回動可能なように設けられたハンドルシャフトと、
前記ハンドルシャフトの下端に回転自在に取り付けられた前輪と、
前記ハンドルシャフトの上端に取り付けられた握り柄と、
前記デッキボードの後端近くの下面に、その首振り軸がデッキボードの下面に対して直角な線から後方へ向けて傾斜するよう取り付けられたキャスター付き後輪と、
を備えたことを特徴とする、スケーター。
【請求項２】
前記デッキボードの材質が木材の合板であることを特徴とする、請求項１に記載のスケーター。
【請求項３】
前記キャスター付き後輪の首振り軸の中心軸が、デッキボードの下面に対して直角な線から後方へ向けて３０°〜５０°の範囲で傾斜していることを特徴とする、請求項１又は２に記載のスケーター。
【請求項４】
前記キャスター付き後輪のローラーの自転軸が、前記キャスター付き後輪の首振り軸の中心軸からズレていることを特徴とする、請求項１〜３のいずれか１項に記載のスケーター。
【請求項５】
ハンドルシャフトとデッキボード間の前記折畳み機構が、
前記デッキボードの前端近くの上面にデッキボードの中心線と平行に所定の間隔を隔てて互いに対向するように設けられ、その周縁上に前側係止溝と後側係止溝がそれぞれ形成された一対の扇形支持板と、
前記ハンドルシャフトを回転自在に挿通、保持するための円管部と、軸直角断面が略矩形に形成され、前記一対の扇形支持板の間に挟持される中空支柱部とを有するハンドルポストと、
前記ハンドルポストの中空支柱部の下端近くを前記一対の扇形支持板の扇形状の中心近くに回動自在に軸支するハンドルポスト枢支軸と、
前記ハンドルポストの中空支柱部の左右の側壁に明けた上下方向に長い長孔に挿通され、先端側の雄ネジ部にはナットが取り付けられ、他端側にはカム式レバーが取り付けられ、前記ハンドルシャフトの起立中は前記扇形支持板の前側係止溝に係合せしめられ、ハンドルシャフトの折畳み中は前記扇形支持板の後側係止溝に係合せしめられる係止ロッドと、
前記ハンドルポストの中空支柱部の側壁上に設けられ、当該側壁に明けた上下方向に長い長孔を通じて前記中空支柱部の内部に挿入された脚部の孔に前記係止ロッドが挿通された係止ロッド引上げ操作レバーと、
前記ハンドルポスト枢支軸と係止ロッドとの間に取り付けられた引っ張りバネと、
から構成されたことを特徴とする、請求項１〜４のいずれか１項に記載のスケーター。
【請求項６】
前記ハンドルシャフトは、複数の筒状のシャフトが滑りキー手段を用いて嵌縮可能に連結されて構成されており、全体の長さを調節できる長さ調節手段を有し、この長さ調節手段は、一方のシャフトに設けた複数の係止孔と、この係止孔と係合すべく他方のシャフトに設けた弾性を付与された係止ボタンと、シャフトの締付具とで構成したことを特徴とする、請求項１に記載のスケーター。
【考案の詳細な説明】
【技術分野】
【０００１】
本考案は、従来のキックスケーターとスネークボードとスケートボードの機能を併せ持つ新たなスケーターに関するものである。
【背景技術】
【０００２】
従来のキックスケーターは、片足をデッキボードに乗せ、もう片方の足でキックしながら前進するようになっている。平地の場合、キックで与えられたエネルギーがなくなれば、再度キックを行い、この繰り返しを行うことで前進して行く。１回のキックで３〜８ｍの距離を進むのが一般的なタイプである。
従って、従来のキックスケーターには、キックをしなくても前進を続けられるという機能は備わっておらず、面白味に欠けるという問題点があった。
【０００３】
一方、スネークボードは、デッキボードが前後２つに分かれており、前後それぞれのボードが前後方向中心軸を中心に傾きを変えられるようになっている。前後の各ボードには、それぞれ１個のローラーが取り付けられており、各ローラーの向きは３６０度回転可能なようになっている。
プレイヤーは、前後のボードの前後方向中心軸に対する傾きを変えながら、即ち、前後のボードをひねるように交互に傾けながら前進するようになっている。即ち、前後のボードの角度を変えることでローラーの向きが変化し、蛇行しながら前進できるようになっている。
そのため、スケートボードやキックスケーターのように常にキックを繰り返す必要がない。
しかしながら、初心者には、足で前後のボードの傾きを変えるという操作が非常に難しく、不安定でバランスが取りにくいという問題点があった。
【０００４】
また、従来のスネークボードの前輪にハンドルを取り付けたようなスケーターも提案されているが、両足でデッキボードの前部と後部をひねるように操作するのと同時に、両手でハンドル操作を行うことは、バランスを取るのが上記スネークボードの場合よりも更に難しく、限られた上級者しか楽しむことができないという問題点があった。
【０００５】
また、下記の特許文献１には、前輪をキャスターに取り付けて、その向きを３６０度回転可能にした滑走トレーニング用のローラボードが開示されている。しかしながら、このローラボードは、後輪が２輪設けられているため、蛇行には適さず、面白味に欠けるという問題点があった。
【０００６】
更にまた、下記の特許文献２には、キックスケーターのようにハンドル付きの前輪を設けると共に、後輪としてはキャスター式に回転するものを取り付け、そのキャスターの首振り軸をロックし、或いはアンロックできるようにしたスケーターが開示されている。
しかしながら、キャスターの首振り軸がベース板に対して直角に設定されているため、キャスターをアンロック状態にしても蛇行効果が少ないという問題点があった。
【先行技術文献】
【特許文献】
【０００７】
【特許文献１】特許第２８８３５３０号公報
【特許文献２】登録第３０６４６９１号実用新案公報
【考案の概要】
【考案が解決しようとする課題】
【０００８】
本考案は上記の問題点を解決するためなされたものであり、その目的とするところは、簡単な操作で蛇行を楽しむことができ、キックを繰り返さなくても前進し続けることができ、子供や初心者でもバランスが取りやすく、キックスケーター、スネークボード、スケートボードのそれぞれの特徴を、年齢や技量の差を超えて多くの人が楽しむことのできるスケーターを提供せんとするにある。
【課題を解決するための手段】
【０００９】
本考案に係るスケーターの特徴を簡潔に記載すると、（１）剛性のあるデッキボードに、（２）首振り軸の傾斜したキャスター付き後輪と、（３）ハンドル付き前輪と、を取り付けた点になり、更に（４）安全性に優れた折畳み機構を備えた点にある。
即ち、前記目的を達成するために、本考案に係るスケーターは、
剛性を有する板材から成るデッキボードと、
前記デッキボードの前端近くに設けた折畳み機構を介してデッキボード側へ折り畳み可能に、且つ、軸中心に回動可能なように設けられたハンドルシャフトと、
前記ハンドルシャフトの下端に回転自在に取り付けられた前輪と、
前記ハンドルシャフトの上端に取り付けられた握り柄と、
前記デッキボードの後端近くの下面に、その首振り軸がデッキボードの下面に対して直角な線から後方へ向けて傾斜するよう取り付けられたキャスター付き後輪と、
を備えたことを特徴とする。
【００１０】
前記デッキボードの材質としては、木材の合板を好適に用いることができる。
また、前記キャスター付き後輪の首振り軸首振り軸の中心軸の傾斜角度は、デッキボードの下面に対して直角な線から後方へ向けて３０°〜５０°の範囲とすることが望ましい。
更にまた、前記キャスター付き後輪のローラーの自転軸が、前記キャスター付き後輪の首振り軸の中心軸からズレているようにすることも推奨される。
【００１１】
ハンドルシャフトとデッキボード間の折畳み機構は、
前記デッキボードの前端近くの上面にデッキボードの中心線と平行に所定の間隔を隔てて互いに対向するように設けられ、その周縁上に前側係止溝と後側係止溝がそれぞれ形成された一対の扇形支持板と、
前記ハンドルシャフトを回転自在に挿通、保持するための円管部と、軸直角断面が略矩形に形成され、前記一対の扇形支持板の間に挟持される中空支柱部とを有するハンドルポストと、
前記ハンドルポストの中空支柱部の下端近くを前記一対の扇形支持板の扇形状の中心近くに回動自在に軸支するハンドルポスト枢支軸と、
前記ハンドルポストの中空支柱部の左右の側壁に明けた上下方向に長い長孔に挿通され、先端側の雄ネジ部にはナットが取り付けられ、他端側にはカム式レバーが取り付けられ、前記ハンドルシャフトの起立中は前記扇形支持板の前側係止溝に係合せしめられ、ハンドルシャフトの折畳み中は前記扇形支持板の後側係止溝に係合せしめられる係止ロッドと、
前記ハンドルポストの中空支柱部の側壁上に設けられ、当該側壁に明けた上下方向に長い長孔を通じて前記中空支柱部の内部に挿入された脚部の孔に前記係止ロッドが挿通された係止ロッド引上げ操作レバーと、
前記ハンドルポスト枢支軸と係止ロッドとの間に取り付けられた引っ張りバネと、
から構成されるようにすることが推奨される。
【００１２】
さらに、本考案のスケーターは、前記ハンドルシャフトが、複数の筒状のシャフトが滑りキー手段を用いて嵌縮可能に連結されて構成されており、全体の長さを調節できる長さ調節手段を有し、この長さ調節手段は、一方のシャフトに設けた複数の係止孔と、この係止孔と係合すべく他方のシャフトに設けた弾性を付与された係止ボタンと、シャフトの締付具とで構成したことを特徴とする。
【考案の効果】
【００１３】
前記スネークボードの場合、前と後のデッキボードを足で交互に左右にひねるように動かすことにより、キックなしで蛇行しながら走り続けることが可能であるが、両手がフリー状態のため、バランスを取ることが初心者には少し難しいという問題があったが、本考案に係るスケーターにおいては、デッキボードが剛性を有する板材でできており、前部と後部の間が曲がったりねじれたりすることはないので、デッキボード上に安定して乗ることができる。また、キャスター付き後輪を用いたことにより、デッキボード上で体を傾けたり、ハンドルを左右に傾けたりすることで、後輪が左右に向きを変え、キックなしで蛇行しながら前進を続けることができる。またハンドル付きであるので、バランスが取りやすく、初心者や子供であっても、キックスケーターに乗ることのできるバランス感覚があれば、スネークボードの楽しみを味わうことができる。
従って、本考案のスケーターによるときは、キックスケーターと同様に、キックしながら前進させることもできるし、キックしないで、ハンドルを左右に振ることで蛇行前進させることもできるし、ハンドルと一緒に、体を左右に傾けることでも蛇行前進させることができるものである。
また、キャスター付き後輪の首振り軸が後方へ向けて傾斜しているため、進行中、後輪は基本的に後方向を向いて、動きが安定すると共に、デッキボードの微妙な傾きの変化に対して敏感に反応してその向きを変え、良好な蛇行効果が得られるものである。
【００１４】
剛性を有するデッキボードの材質として、スケートボードと同様に木材の合板を用いることにより、スケーターに適した強度と、車輪からの衝撃を緩和する作用が得られる。
キャスター付き後輪の首振り軸の中心軸の傾斜角度は、デッキボードの下面に対して直角な線から後方へ向けて３０°〜５０°の範囲とすることが望ましい。３０°未満であると、不必要な首振りを生じて安定性が損なわれ、また、５０°を超えると、デッキボードの傾きに対する反応が敏感でなくなったり、走行中に倒れやすくなる。
【００１５】
更にまた、ハンドルシャフトとデッキボード間の折畳み機構を、前記の如く構成することにより、係止ロッドとハンドルポストの回動支軸との間に掛け渡した引っ張りバネの作用で、係止ロッドが扇形支持板の係止溝から外れるのが防止され、安全性が高められる。
【００１６】
以上の如く、本考案の特徴とするところは、（１）剛性のあるデッキボードに、（２）首振り軸の傾斜したキャスター付き後輪と、（３）ハンドル付き前輪と、を取り付けた点にある。
これによって、本考案に係るスケーターは、従来のキックスケーターとスネークボードとスケートボードの機能を併せ持つ新たなスケーターたり得るものである。
更に、（４）従来とは異なった構造の折畳み機構を設けたことにより、安全性を一層向上させ得たものである。
【図面の簡単な説明】
【００１７】
【図１】本考案に係るスケーターの一実施例を示す側面図である。
【図２】図１に示したスケーターを折り畳んだ状態を示す側面図である。
【図３】図１に示したスケーターのキャスター付き後輪の部分を示す底面図である。
【図４】本考案に係るスケーターの作動を示す説明図である。
【図５】本考案に係るスケーターに設けられる折畳み機構の一実施例を示す斜視図である。
【図６】図５及び図６に示した折畳み機構を起立させた状態を示す側断面図（図５中のVI−VI線に沿った断面図）である。
【図７】図５に示した折畳み機構を折り畳んだ状態を示す側断面図である。
【図８】図６中のVIII−VIII線に沿った断面図である。
【図９】本考案に係るスケーターのハンドルシャフトの長さ調節手段の構造の一実施例を示す斜視図及び側断面図である。
【考案を実施するための形態】
【００１８】
以下に本考案に係るスケーターの好ましい実施例を図面に基いて説明するが、本考案はそれらの実施例に限らず、本考案の技術的範囲内で、例えばデザイン上の理由等によりさまざま
に設計変更し得るものである。
【実施例１】
【００１９】
本考案に係るスケーター１は、図１〜図３に示すように、基本的に、
剛性を有する板材から成るデッキボード１０と、
前記デッキボードの前端近くに設けた折畳み機構６０を介してデッキボード側へ折り畳み可能に、且つ、軸中心に回動可能なように設けられたハンドルシャフト２０と、
前記ハンドルシャフトの下端に回転自在に取り付けられた前輪３０と、
前記ハンドルシャフトの上端に取り付けられた握り柄４０と、
前記デッキボード１０の後端近くの下面に、その首振り軸７０２がデッキボードの下面に対して直角な線７０４から後方へ向けて傾斜するよう取り付けられたキャスター付き後輪７０と、から構成されている。
デッキボード１０は、プレイヤーが片足又は両足で乗る部分であり、本考案においては、剛性を有する板材により作製されている。ここで「剛性を有する板材」とは、人力では曲げたりひねったり捩じったりすることのできない程度の強度及び定形性を有する板である。このデッキボードの板材としては、スケートボード用に従来から用いられている木材の合板を使用することが推奨される。そのような木材の合板を用いることにより、スケーターに適した強度と、車輪からの衝撃を緩和する作用が得られるものである。
【００２０】
ハンドルシャフトの上端に取り付けられる握り柄４０は、通常は折り畳み可能なよう構成され、不使用時の持ち運びや、収納に便利なようになっている。握り柄４０を折り畳み、若しくは、着脱可能とする構成については、各種公知の手段を採用し得る。
【００２１】
図２に示す如く、前記キャスター付き後輪７０の首振り軸７０２の中心軸７０２ａは、デッキボード１０の下面に対して直角な線７０４から後方へ向けて３０°〜５０°の範囲で傾斜させるように構成することが望ましい。この角度αが、３０°未満であると、不必要な首振りを生じて安定性が損なわれ、また、５０°を超えると、デッキボードの傾きに対する反応が敏感でなくなったり、走行中に倒れやすくなるためである。
更にまた、図２に示すように、前記キャスター付き後輪７０のローラー７０１の自転軸７０１ａが、前記キャスター付き後輪７０の首振り軸７０２の中心軸７０２ａからズレているように構成することが望ましい。
そのように構成することで、走行時の安定性と、デッキボードの傾け操作やハンドル操作に対する方向変換の応答性、機敏性を向上させることができる。
【００２２】
本考案に係るスケーターは、上記の如き構成を有することにより、スネークボードの如くデッキボードの前部と後部をひねることができるような構造としなくても、図４（ａ）に示すように、両足でデッキボード１０上に乗り、ハンドルシャフト２０を左右に振る（傾ける）ことにより、デッキボード１０の傾きに応動して前記キャスター付き後輪７０のローラー７０１の向きが敏感に変化させることができるので、図４（ｂ）に示すような蛇行状態での走行を、スネークボードと同様にキックなしで継続することが可能となる。ハンドルと共に体を左右に傾けることでも蛇行させることができる。
従って、本考案のスケーターによるときは、キックスケーターと同様に、キックしながら前進させることもできるし、キックしないで、ハンドルを左右に振ることで蛇行前進させることもできるし、ハンドルと一緒に、体を左右に傾けることでも蛇行前進させることができるものである。
そのため、本考案に係るスケーターは、従来のキックスケーターとスネークボードとスケートボードの機能を併せ持つ新たなスケーターということができ、ハンドルがついているので、子供から年輩者まで、技量の上下を問わず楽しむことができる。
【００２３】
次に、本考案に係るスケーターにおけるハンドルシャフト２０とデッキボード１０間に設けられる前記折畳み機構６０について説明する。
この折畳み機構６０は、図５〜図８に示すように、基本的に、
前記デッキボード１０の前端近くの上面にデッキボードの中心線と平行に所定の間隔を隔てて互いに対向するように設けられ、その周縁上に前側係止溝６０１ａ，６０２ａと後側係止溝６０１ｂ，６０２ｂがそれぞれ形成された一対の扇形支持板６０１，６０２と、
前記ハンドルシャフト２０を回転自在に挿通、保持するための円管部５０１と、軸直角断面が略矩形に形成され、前記一対の扇形支持板の間に挟持される中空支柱部５０２とを有するハンドルポスト５０と、
前記ハンドルポストの中空支柱部５０２の下端近くを前記一対の扇形支持板の扇形状の中心近くに回動自在に軸支するハンドルポスト枢支軸６０３と、
前記ハンドルポストの中空支柱部５０２の左右の側壁に明けた上下方向に長い長孔５０２ａ，５０２ｂに挿通され、先端側の雄ネジ部６０４ａにはナット６０５が取り付けられ、他端側にはカム式レバー６０６が取り付けられ、前記ハンドルシャフト２０の起立中は前記扇形支持板６０１，６０２の前側係止溝６０１ａ，６０２ａに係合せしめられ、ハンドルシャフト２０の折畳み中は前記扇形支持板６０１，６０２の後側係止溝６０１ｂ，６０２ｂに係合せしめられる係止ロッド６０４と、
前記ハンドルポストの中空支柱部５０２の側壁上に設けられ、当該側壁に明けた上下方向に長い長孔５０２ｃを通じて前記中空支柱部５０２の内部に挿入された脚部６０８ａの孔６０８ｂに前記係止ロッド６０４が挿通された係止ロッド引上げ操作レバー６０８と、
前記ハンドルポスト枢支軸５０２と係止ロッド６０４との間に取り付けられた引っ張りバネ６０９と、
から構成されることを特徴としている。
【００２４】
このような本考案における折畳み機構６０の機能を説明すれば、デッキボード１０に取り付けられた一対の扇形支持板６０１，６０２の間に、ハンドルポスト５０を、起立位置と折畳み位置との間で回動可能なようにハンドルポスト枢支軸６０３によって保持する。一対の扇形支持板６０１，６０２には、その周縁上に前側係止溝６０１ａ，６０２ａと後側係止溝６０１ｂ，６０２ｂがそれぞれ形成されている。
そして、ハンドルポスト５０の中空支柱部５０２の左右の側壁に明けた上下方向に長い長孔５０２ａ，５０２ｂに挿通した係止ロッド６０４を、ハンドルポスト５０が起立位置にあるときには（図５、図６及び図８参照）、扇形支持板６０１，６０２の前側係止溝６０１ａ，６０２ａに嵌め込み、係止ロッド６０４の一端に取り付けたカム式レバー６０６をその偏心軸６０６ａを中心に回動させ、そのカム部６０６ｂで押圧座片６０７を介して扇形支持板６０１の外壁面を強圧することにより、ハンドルポスト５０を起立位置に保つようにする。
一方、ハンドルポスト５０を折畳み位置にもたらすときは、前記カム式レバー６０６を緩め、係止ロッド引上げ操作レバー６０８を持ち上げるよう操作して、係止ロッド６０４を引上げることにより、係止ロッド６０４を扇形支持板６０１，６０２の前側係止溝６０１ａ，６０２ａから外し、図７に示す如く、ハンドルポスト５０をデッキボード側へ倒し、係止ロッド６０４を扇形支持板６０１，６０２の後側係止溝６０１ｂ，６０２ｂに嵌め込み（図６及び図７を併せて参照）、然るのち、前記同様、カム式レバー６０６を操作して、ハンドルポスト５０を起立位置に固定するものである。
この場合において、図６及び図７に示すように、本考案においては、前記ハンドルポスト枢支軸５０２と係止ロッド６０４との間に取り付けられた引っ張りバネ６０９により、係止ロッド６０４を常時ハンドルポスト枢支軸５０２の方へ引き寄せるよう付勢してあるため、仮に、ハンドルポスト５０を立ててプレイ中にカム式レバー６０６等が緩んだとしても、係止ロッド６０４が扇形支持板６０１，６０２の前側係止溝６０１ａ，６０２ａから外れるようなことがなく、安全性が確保されるものである。
なお、係止ロッド６０４の先端の雄ネジ部６０４ａにねじ込まれるナット６０４は、そのねじ込み量によってカム式レバー６０６による扇形支持板６０１の外壁面への押圧力を調節するためのものである。
【００２５】
図９は本考案に係るスケーターのハンドルシャフトの長さ調節手段の構造を示しており、（ａ）はその分解斜視図、（ｂ）はその第３シャフトを反対側から見たＢ矢視図、（ｃ）は第３シャフトのＡ−Ａ断面図である。
図示する如く、本考案に係るハンドルシャフト２０は、筒状の互いに入れ子状に嵌め合わされた３本の第１シャフト２０１、第２シャフト２０２、及び第３シャフト２０３から構成され、第１シャフト２０１の下部にはフォーク部２０４を介して前輪３０が取り付けられている。この第１シャフト２０１が円管部５０１内に軸方向へ回転可能に取り付けられており、第１シャフト２０１の上部に第２シャフト２０２が連結され締付具２０５を介して固定されている。この第２シャフト２０２に握り柄４０を取り付けた第３シャフト２０３が長さ調節手段８０を介して嵌縮可能に取り付けられている。
【００２６】
この長さ調節手段８０は、第２シャフト２０２の上部側軸方向へ所定間隔を空けて設けた複数の係止孔２０２ａと、第３シャフト２０３にスプリング２０３ａを作用させてその開口部２０３ｂより出没自在に設けた係止ボタン２０３ｃと、第２シャフト２０２の上端部側に設けたスリット２０２ｂの回りに取り付けた締付リング８０１及びこの締付リング８０１に取り付けた偏心カムレバー８０２から成る締付具８０３とで構成されている。
【００２７】
さらに、第３シャフト２０３の一側軸方向には、キー溝２０３ｄが設けられ、このキー溝２０３ｄに締付リング８０１へ取り付けられて第２シャフト２０２に設けた取付孔２０２ｃより第２シャフト２０２の内側へ突出させられた取付ボルト８０４が嵌入してキー部を構成している。キー溝２０３ｄにはストッパー部２０３ｅが設けられ、取付ボルト８０４と係合して使用時に第２シャフト２０２より第３シャフト２０３が上方へ抜け出ないように工夫されている。
【００２８】
長さ調節手段８０によるハンドルシャフト２０の長さ調節は、締付具８０３の偏心カムレバー８０２を水平方向へ引いて締付具８０３による第３シャフト２０３への締付を弛め係止孔２０２ａのどれかと係合している係止ボタン２０３ｃを指でスプリング２０３ａの弾力に抗して押すと第３シャフト２０３の第２シャフト２０２に対する軸方向の摺動が係止ボタン２０３ｃが次の係止孔２０２ａに嵌入するまで可能と成る。このように実施例のものでは３個の係止孔２０２ａへ係止ボタン２０３ｃが嵌入する３段階に渡って長さ調節が可能となる。
【００２９】
もとより、上記３個の係止孔２０２ａ以外の個所での固定は、締付具８０３で第２シャフト２０２を締付けることにより可能であるが、係止ボタン２０３ｃと係止孔２０２ａとの嵌合位置で固定することの方が、しっかりとした固定となるので好ましい。さらに、第３シャフト２０３を上方へ引き抜こうとしても、取付ボルト８０４の先端がキー溝２０３ｄに設けたストッパー部２０３ｅと係合するので、取付ボルト８０４とキー溝２０３ｄとの係合を外さないと引き抜けないので、使用中に第３シャフト２０３が弛んで第２シャフト２０２より抜けてしまうことがなく、安全である。
【００３０】
なお、本考案は上記の実施例に限定されず、本願の実用新案登録請求の範囲に記載した技術的事項に含まれるすべての変更実施例を包摂するものである。
【産業上の利用可能性】
【００３１】
本考案に係るスケーターにおいては、デッキボードが剛性を有する板材でできており、前部と後部の間が曲がったりねじれたりすることはないので、デッキボード上に安定して乗ることができ、キャスター付き後輪を用いたことにより、デッキボード上で体を傾けたり、ハンドルを左右に傾けたりすることで、後輪が左右に向きを変え、キックなしで蛇行しながら前進を続けることができる。またハンドル付きであるので、バランスが取りやすく、初心者や子供であっても、キックスケーターに乗ることのできるバランス感覚があれば、スネークボードの楽しみを味わうことができる。
従って、本考案のスケーターによるときは、キックスケーターと同様に、キックしながら前進させることもできるし、キックしないで、ハンドルを左右に振ることで蛇行前進させることもできるし、ハンドルと一緒に、体を左右に傾けることでも蛇行前進させることができるものである。
このように本考案に係るスケーターは、従来のキックスケーターとスネークボードとスケートボードの機能を併せ持つ新たなスケーターであり、産業上多大の利用可能性を有するものである。
【符号の説明】
【００３２】
１        スケーター
１０      デッキボード
２０      ハンドルシャフト
３０      前輪
４０      握り柄
５０      ハンドルポスト
６０      折畳み機構
７０      キャスター付き後輪
８０      長さ調節手段
２０１    第１シャフト
２０２    第２シャフト
２０２ａ  係止孔
２０２ｂ  スリット
２０２ｃ  取付孔
２０３    第３シャフト
２０３ａ  スプリング
２０３ｂ  開口部
２０３ｃ  係止ボタン
２０３ｄ  キー溝
２０３ｅ  ストッパー部
２０４    フォーク部
２０５    締付具
５０１    円管部
５０２    中空支柱部
５０２ａ，５０２ｂ  長孔
５０２ｃ  長孔
６０１，６０２  扇形支持板
６０１ａ，６０２ａ  前側係止溝
６０１ｂ，６０２ｂ  後側係止溝
６０３    ハンドルポスト枢支軸
６０４    係止ロッド
６０４ａ  雄ネジ部
６０５    ナット
６０６    カム式レバー
６０６ａ  偏心軸
６０６ｂ  カム部
６０７    押圧座片
６０８    係止ロッド引上げ操作レバー
６０８ａ  脚部
６０８ｂ  脚部の孔
６０９    引っ張りバネ
７０１    ローラー
７０１ａ  ローラーの自転軸
７０２    首振り軸
７０２ａ  首振り軸の中心軸
７０３    取付け基板
７０４    デッキボードの下面に対して直角な線
８０１    締付リング
８０２    偏心カムレバー
８０３    締付具
８０４    取付ボルト
【図１】
0003162332.tif 000003
【図２】
0003162332.tif 000004
【図３】
0003162332.tif 000005
【図４】
0003162332.tif 000006
【図５】
0003162332.tif 000007
【図６】
0003162332.tif 000008
【図７】
0003162332.tif 000009
【図８】
0003162332.tif 000010
【図９】
0003162332.tif 000011